(57)【特許請求の範囲】
【請求項１】
紙製容器の天板に形成された飲み口穴を覆うように、紙製容器の天板表面に剥離可能に貼着されるタブ材において、
天板と熱接着する熱可塑性樹脂フイルムによるシーラント層の上面に剥離層が設けられ、その上面に少なくとも、紙層を主体とするタブ基材が張り合わされていて、
前記シーラント層の飲み口穴に相当する領域に一つ又は二つ以上のピンホールを孔設したことを特徴とするタブ材。
【請求項２】
前記シーラント層の上面に印刷インキ層を設けたことを特徴とする請求項１記載のタブ材。
【発明の詳細な説明】
【０００１】
【発明の属する技術分野】
本発明は、タブ材を剥がして飲み口穴を開封させる液体等を充填する紙製容器に用いるタブ材に関する。
【０００２】
【従来の技術】
近年、コーヒー、お茶、果汁、液体スープ等の液体食品の分野で使用後における廃棄処理のし易さ等から飲み口穴部が開封用タブ材で覆われた図５に示すような紙製容器が、広く使用されている。この紙製容器の形状は、図５に示す円筒状や、カップ状、角筒状のもの等がある。
これら図５に示す紙製容器１は天板２の飲み口穴部３から果汁や液体の飲料食品を充填し、その後飲み口穴部３をタブ材４で覆って密封する。紙製容器の天板飲み口穴部密封タブ材４は内容物の保存性等の問題や充填機の機械適正等の関係から、図６(a)に示すようなポリエステル９/例えば開封表示等を印刷したインキ層11/紙８/セラミック蒸着ポリエステル１２/ナイロン１３/ポリプロピレン１４又は図６(ｂ)に示すような開封表示等を印刷したインキ層11/アルミ箔１５/ポリエステル９/ポリプロピレン１４の構成になっている。このほか、アルミニウム箔とポリエチレン、或は、ポリプロピレン/紙/ポリエチレン又はアルミニウム/ポリエチレン/ホットメルト等、紙、アルミ箔の基材にプラスチックフイルムを積層した構成からなっている。
このタブ材４で紙製容器１の天板２飲み口穴部３を外側から覆い、タブ材４の下面のポリプロピレン等のプラスチックフイルムと紙製容器１の天板２の飲み口穴部３上面外周縁部のポリエチレンとの接触面をつまみ部18となる開封開始部の一部未シール部を残して熱融着し、密封している。開封はタブ材の未シールを摘み部１８とし容器から引き剥がして飲み口穴部３を露出させるプルトップ方式で果汁や飲料食品の内容液を注ぎ出すように構成されている。
【０００３】
【発明が解決しようとする課題】
このような充填密封方式による紙製容器１は、タブ材４が開封しにくく、開封時に容器が転倒したり或は容器の揺れにより内容物の果汁、飲料食品が多量にこぼれることが大きな問題となっている。この原因としてタブ材４を持ち上げ引き剥がす摘み部が小さくて持ちにくく、又タブ材４のシール部の強度が強い結果、開けにくい、などにより開封が困難で且つプルトップ方式であるために飲み口穴部３が大きく開封時の少しの揺れでも内容物がこぼれ易くなっていた。
【０００４】
また、紙製容器１の内容物が果汁、飲料食品であるために飲用時にストロー等を用いて飲用する場合がある。しかし紙製容器１の天板２飲み口穴部３を密封しているタブ材４は充填機の機械適正の関係や容器内容物の保存性の問題から多層のフイルム構成で強度が強くプラスチックのストローで飲み口穴部３のタブ材４に突き刺すことが出来ないという問題があった。
【０００５】
本発明は、タブ材を引き剥がして開封する紙製容器１においてタブ材４のシール強度の
強さに関係なく引き剥がしが容易に出来ず且つ開封時或は開封後の容器の転倒等で飲み口穴部から内容物である果汁、飲料食品がこぼれる問題を解決するためになされたもので、タブ材の構成を改良して易開封性と且つ容器転倒による飲み口穴部３からの果汁、飲料食品等内容物のこぼれを防止し、又ストローでの飲用が可能なタブ材を提供することを目的とする。
【０００６】
【課題を解決するための手段】
上記問題点を解決するために、まず本発明の請求項１に係る発明は、紙製容器の天板に形成された飲み口穴を覆うように、紙製容器の天板表面に剥離可能に貼着されるタブ材において、
天板と熱接着する熱可塑性樹脂フイルムによるシーラント層の上面に剥離層が設けられ、その上面に少なくとも、紙層を主体とするタブ基材が張り合わされていて、
前記シーラント層の飲み口穴に相当する領域に一つ又は二つ以上のピンホールを孔設したことを特徴とするタブ材である。
【０００８】
さらに、本発明の請求項２に係る発明は、前記シーラント層の上面に印刷インキ層を設けたことを特徴とする請求項１記載のタブ材である。
【００１０】
本発明は紙製容器の天板飲み口穴を覆うタブ材の未シール部を持ってタブ材を天板より引き剥がし開封して飲み口穴部を露出させるに際し、タブ材と天板のシール部のシール強度が強い場合でもタブ基材をシーラント層を残して容易に剥離して開封できる。
【００１１】
又、本発明はタブ材の未シール部を持って天板よりタブ材を引き剥がした時に、ピンホールを孔設したシーラント層が飲み口穴部を塞いでおり容器の揺れにより果汁、飲料食品の内容物がこぼれることもなく、またタブ材を引き剥がし後に容器が転倒しても果汁、飲料食品の内容物が殆どこぼれない。
【００１２】
また、タブ材を引き剥がし後、紙製容器の天板飲み口穴部上にシーラント層が一層だけとなり又シーラント層の飲み口穴部領域に一つ又は二つ以上のピンホールを設けており、ストロー等を容易に突き刺すことが可能で有り、果汁、飲料食品の内容物を清潔に飲用することが出来る。
【００１３】
【発明の実施の形態】
本発明に係るタブ材（図１）とそのタブ材を用いた紙製容器（図２）を、実施の形態に沿って以下に詳細に説明する。
本発明に係るタブ材は、図１(a)又は図１(b)に示すような構成からなっている。図１(a)、 (b)に基いて説明すれば、タブ材４は、紙製容器１の天板２と熱接着するシーラント層１４として厚さ３０〜４０μmのポリプロピレンフイルムとシーラント層１４に厚さ２０〜５０μmの剥離層２２を設け、さらにその上面に紙層を主体とするタブ基材２０として厚さ１５〜２０μmのナイロン１３、さらに厚さ１２μmのセラミック蒸着ポリエステル２１、さらに坪量８０〜１００ｇ/m2の上質紙８を積層しさらに上質紙８の上面に、印刷インキ層１１、印刷インキ層上面に厚さ１２μmのポリエステルフイルム９を貼り合わせてなるタブ材である。
【００１４】
剥離層２２は図３ (a)に示すようにポリエチレン樹脂にポリスチレン樹脂又はポリプロピレン樹脂を添加し、シート状にしたフイルム１９に二液型ウレタン系接着等によりシーラント層１４と貼り合わされた構成である。又図３(ｂ)は前記シート状にしたフイルムにポリエチレン樹脂を介してサンドラミネーションでシーラント層を貼り合わせた二層構成であり、シート状にしたフイルム19とサンドラミネーションしたポリエチレン層19aで界面剥離により基材層２０とシーラント層１４を剥がすことができるが、シーラント層１４にサンドラミネーションしたポリエチレン層が残るために、ピンホール１６を孔設したシーラント層１４においてピンホール１６貫通による機能を必要とする場合には図３(a)の構成が望ましい。
【００１５】
基材に使用される紙８は坪量８０〜１００ｇ/m2の物が望まれる。それよりも紙が薄いと紙の腰が弱くタブ材に要求される紙癖が付き難く、又余りに厚いと巻き取り紙からシート状に裁断することが困難であるなど充填包装機械適正の問題が有る。又紙製容器の保存あるいは流通等を考慮して耐水紙あるいは耐水性のある紙が好ましい。
【００１６】
請求項１に記載したタブ材４は、該タブ材の天板２表面と熱接着するヒートシール層１４による天板２飲み口穴部３領域に一つあるいは二つ以上のピンホール１６を一定の間隔に空け、剥離層２２及び基材層２０と貼り合わされた、図１(c)に示すような構成からなっている。シーラント層１４に設けたピンホール１６の大きさは直径0.5mm〜1.0mmがストローを突き刺すのに最適であり、又容器転倒時の液漏れも防ぐことができる。又飲み口穴部３から直接飲用するためにシーラント層１４を剥がす場合ピンホール１６が大きいとフイルムが切れる問題が有り、上記直径0.5mm〜1.0mm、穴のピッチ８〜１５mm程度が望ましい。
【００１７】
請求項２に記載したタブ材４は、該タブ材の基材層２０と剥離層２２との間に図１(b)に示すような印刷インキ層11aを設けている。印刷は基材層２０のナイロン層１３あるいは剥離層２２のいずれかの層に施される。又紙製容器の充填機の機械適性の関係でタブ材の基材層２０には必ず紙又はアルミ箔層を設けているために図1(b)のナイロン層１３と剥離層２２間の印刷インキ層１１aはタブ材外側から見えず当たりくじや特別な記念行事等のキャンペーンに利用出来る。
【００１８】
本発明に係るタブ材を用いた紙容器において、紙製容器１天板２表面と熱接着するシーラント層２２を残してタブ材の基材層２０を剥がした紙製容器は図２に示すような構成からなっている。２は天板部、３は飲み口穴部、４はタブ材、５は底板材、６は胴部材である。又紙製容器の胴部材６は図4に示すような構成からなっている。図2に示す紙製容器は円筒状に限らず、カップ状、角筒状、円錐状等の形状が考えられる。又図2に示す円筒状紙製容器の胴部材６の素材構成として、図4に示すように容器外側からポリエチレン７/板紙８/ポリエチレン７/ポリエチレン７/ポリエチレンテレフタレート９/酸化ケイ素蒸着薄膜１０/ポリエチレン７、の素材からなっている。
底板材５及び天板材２としては図7に示すように容器外側からポリエチレン７/板紙８/ポリエチレン７のような構成素材からなっているが、紙製容器内の内容物の保存性あるいは容器形状によって底板材５及び天板材２も図4の胴部材構成と同一構成の場合もあり、実情に応じて各種の構成素材が使用される。
【００１９】
また、、紙製容器１の天板２表面の飲み口穴部３周縁に熱融着されるシーラント層14を残してタブ材基材層２０を剥がした状態のタブが図２の２３である。
【００２０】
タブ材の基材層２０を剥がした紙製容器の飲用はストローでシーラント層１４ピンホール部１６に突き刺して飲用できる。又内容物を暖めて飲用する場合、電子レンジに入れ加熱するとピンホール１６から蒸気が出て行くために紙製容器内部に圧力が掛からず安全に加熱出来るし、飲用できる。
【００２１】
又シーラント層１４の未シール部１８を摘み、引き剥し除去することにより、飲み口穴部３から直接飲用することも出来る。
【００２２】
【発明の効果】
本発明のタブ材及びタブ材を用いた紙製容器は飲用時のタブ材の開封も紙製容器の天板表面との熱接着強度の強弱に関係なく常に容易にタブ材基材層２０がはがせる。そのために開封時に紙製容器が揺れることも無くなり、内容物がこぼれる心配も無くなり安心して使用出来る様になつた。又ストローでの飲用も容易になり且つ暖めて飲用する時に電子レンジで安心して加熱も出来ようになつた。
【図面の簡単な説明】
【図１】紙製容器に使用された本発明に係るタブ材料の断面を示す正面図。
【図２】本発明に係るタブ材を用いた紙製容器の断面を示す正面図。
【図３】本発明剥離層の断面を示す断面図。
【図４】本発明に係るタブ材を用いた紙製容器胴体部に使用する材料の断面を示す正面図。
【図５】紙製容器を示す斜視図。
【図６】従来の紙製容器に使用されたタブ材料の断面を示す正面図。
【図７】紙製容器天板材及び底板材に使用する材料の断面を示す正面図。
【図１】
0004161567.tif 000002
【図２】
0004161567.tif 000003
【図３】
0004161567.tif 000004
【図４】
0004161567.tif 000005
【図５】
0004161567.tif 000006
【図６】
0004161567.tif 000007
【図７】
0004161567.tif 000008